【手続補正書】
【提出日】平成17年11月7日(2005.11.7)
【手続補正１】
【補正対象書類名】明細書
【補正対象項目名】特許請求の範囲
【補正方法】変更
【補正の内容】
【特許請求の範囲】
【請求項１】  携帯型電話機に対する留守番電話サービスにおける応答メッセージをウェブサーバから留守電サーバに登録する方法であって、
予め音データベースに記憶された複数のキャラクタの音声データと効果音の音データとを選択する操作により、選択された音声データと効果音の音データを組み合わせたキャラクタメッセージをウェブサーバにユーザ毎に登録設定し、当該設定したキャラクタメッセージを前記応答メッセージとして前記留守番サーバにユーザ毎に登録し、当該ユーザの携帯型電話機の留守電状態で、呼出に対して留守電サーバが当該応答メッセージで応答することを特徴とするメッセージ提供方法。
【請求項２】  キャラクタメッセージは特定時間帯毎に複数作成して設定し、当該設定したキャラクタメッセージを前記特定時間帯毎に前記応答メッセージとして用いることを特徴とする請求項１記載のメッセージ提供方法。
【請求項３】  特定時間帯は、ユーザが任意に設定可能であることを特徴とする請求項２記載のメッセージ提供方法。
【請求項４】  キャラクタメッセージは特定日の特定時間帯をユーザが指定して設定可能であり、当該設定したキャラクタメッセージを前記特定日の特定時間帯に前記応答メッセージとして用いることを特徴とする請求項１記載のメッセージ提供方法。
【請求項５】  キャラクタの音声データ又は効果音はキャラクタメッセージ作成段階で試聴可能とし、設定されたキャラクタメッセージの試聴は、ウェブサーバから携帯電話機に当該キャラクタメッセージを音声出力することを特徴とする請求項１乃至４記載のメッセージ提供方法。
【請求項６】  携帯型電話機に対する留守番電話サービスにおける応答メッセージを留守電サーバに登録し、当該携帯型電話機の留守電状態で、呼出に対して留守電サーバが当該応答メッセージで応答を行うシステムであって、
複数のキャラクタの音声データと複数の効果音の音データとを記憶する音データベースと、
登録されたユーザ毎にキャラクタの音声データと効果音の音データとを組み合わせたキャラクタメッセージに関する情報を記憶するユーザデータベースと、
ユーザからのアクセスにより前記音データベースから音声データと効果音の音データが選択されて、それらを組み合わせたキャラクタメッセージに関する情報が作成されてユーザ毎に設定され、前記ユーザデータベースにユーザ毎に記憶されると共に、前記設定されたキャラクタメッセージを前記留守電サーバにユーザ毎に応答メッセージとして登録するウェブサーバとを有することを特徴とするメッセージ提供システム。
【請求項７】  ウェブサーバは、キャラクタメッセージに関する情報を特定時間帯毎に作成・設定可能であり、更に前記特定時間毎に設定されたキャラクタメッセージを留守電サーバに前記特定時間毎に応答メッセージとして登録するウェブサーバであることを特徴とする請求項６記載のメッセージ提供システム。
【請求項８】  ウェブサーバは、キャラクタメッセージが設定される特定時間帯をユーザにより任意に設定可能とするウェブサーバであることを特徴とする請求項７記載のメッセージ提供システム。
【請求項９】  ウェブサーバは、キャラクタメッセージに関する情報について特定日の特定時間帯をユーザが指定して設定可能であり、前記特定日の特定時間帯に設定されたキャラクタメッセージを留守電サーバに応答メッセージとして登録するウェブサーバであることを特徴とする請求項６記載のメッセージ提供システム。
【請求項１０】  ウェブサーバは、キャラクタメッセージを留守電サーバに留守電応答メッセージとして登録する処理を、当該キャラクタメッセージを一旦携帯電話機に転送し、前記携帯電話機から行わせるウェブサーバであることを特徴とする請求項６乃至９記載のメッセージ提供システム。
【請求項１１】  ウェブサーバは、キャラクタの音声データ又は効果音はキャラクタメッセージ作成段階でアクセス中の携帯電話機に対して試聴可能とし、設定されたキャラクタメッセージの試聴は、前記携帯電話機との接続を切断してウェブサーバから携帯電話機にアクセスして当該設定されたキャラクタメッセージを音声出力するウェブサーバであることを特徴とする請求項６乃至１０記載のメッセージ提供システム。
【請求項１２】  携帯電話機からのアクセスに対して音声ガイダンスでユーザにキャラクタの音声データと効果音の音データとを組み合わせて特定時間帯毎にキャラクタメッセージを作成し、設定するよう促し、前記携帯電話機でキャラクタメッセージが設定されると、前記特定時間帯毎に前記キャラクタメッセージを留守電サーバに応答メッセージとして登録する音サーバを備えることを特徴とするメッセージ提供システム。
【請求項１３】  キャラクタメッセージはスポンサーと関連するキャラクタの音声データを用い、当該メッセージには前記スポンサーの広告を含むことを特徴とする請求項１記載のメッセージ提供方法。
【請求項１４】  スポンサーが提供するプレゼントに対して、前記スポンサー提供のキャラクタメッセージの利用状況に応じて前記プレゼントへの当選確率を変更することを特徴とする請求項１３記載のメッセージ提供方法。
【請求項１５】  携帯型電話機に対する留守番電話サービスにおける応答メッセージを留守電サーバに登録し、当該携帯型電話機の留守電状態で、呼出に対して留守電サーバが当該応答メッセージで応答を行うシステムであって、
スポンサーに関連するキャラクタの音声データであって、当該スポンサーの広告を含む音声データと効果音の音データとを複数記憶するデータベースと、
登録されたユーザ毎に前記キャラクタの音声データと前記効果音の音データとを組み合わせたキャラクタメッセージに関する情報を記憶するユーザデータベースと、
ユーザからのアクセスにより前記データベースから音声データと効果音の音データが選択されて、それらを組み合わせたキャラクタメッセージに関する情報が作成されてユーザ毎に設定され、前記ユーザデータベースにユーザ毎に記憶されると共に、前記設定されたキャラクタメッセージを前記留守番電話サーバにユーザ毎に応答メッセージとして登録するウェブサーバとを有することを特徴とするメッセージ提供システム。
【請求項１６】  スポンサーからプレゼントが提供される場合に、ウェブサーバは、当該懸賞に応募したユーザの内、当該スポンサー提供のキャラクタメッセージの利用状況に応じて、応募での当選確率を変更するウェブサーバであることを特徴とする請求項１５記載のメッセージ提供システム。
【請求項１７】  ウェブサーバは、ユーザのキャラクタメッセージの利用日数又は利用総時間を検出し、当該日数又は時間が多い程、当該キャラクタメッセージ提供のスポンサーからの懸賞に当選する確率を高くするウェブサーバであることを特徴とする請求項１６記載のメッセージ提供システム。
【請求項１８】  ウェブサーバは、スポンサーからの懸賞に対して、ユーザが応募する際に、キャラクタメッセージを利用するのに登録したユーザ情報を用いるウェブサーバであることを特徴とする請求項１６又は請求項１７記載のメッセージ提供システム。
【手続補正２】
【補正対象書類名】明細書
【補正対象項目名】０００６
【補正方法】変更
【補正の内容】
【０００６】
【課題を解決するための手段】
上記従来例の問題点を解決するための本発明は、メッセージ提供方法及びメッセージ提供システムにおいて、ウェブサーバが、ユーザからのアクセスにより、音データベースからキャラクタの音声データと効果音の音データとが選択され、それらを組み合わせたキャラクタメッセージに関する情報が作成されユーザ毎に設定され、設定されたキャラクタメッセージを留守電サーバにユーザ毎に応答メッセージとして登録するものであり、キャラクタの音声データと効果音を組み合わせたキャラクタメッセージを留守電応答メッセージに用いることで、留守電応答メッセージを個性的で娯楽性の高いものとすることができる。
【手続補正３】
【補正対象書類名】明細書
【補正対象項目名】００１０
【補正方法】変更
【補正の内容】
【００１０】
また、本発明は、メッセージ提供方法及びメッセージ提供システムにおいて、ウェブサーバが、ユーザからのアクセスにより、音データベースからスポンサー提供のスポンサー広告を含むキャラクタの音声データと効果音の音データとを組み合わせたキャラクタメッセージに関する情報が作成されてユーザ毎に設定され、設定されたキャラクタメッセージを留守電サーバにユーザ毎に応答メッセージとして登録するものであり、スポンサー提供のキャラクタの音声データと効果音を組み合わせたキャラクタメッセージを留守電応答メッセージに用いることで、ユーザに費用負担を強いることなく、留守電応答メッセージを個性的で娯楽性の高いものとすることができる。
【手続補正４】
【補正対象書類名】明細書
【補正対象項目名】００７６
【補正方法】変更
【補正の内容】
【００７６】
【発明の効果】
本発明によれば、ウェブサーバが、ユーザからのアクセスにより、音データベースからキャラクタの音声データと効果音の音データとが選択され、それらを組み合わせたキャラクタメッセージに関する情報が作成されユーザ毎に設定され、設定されたキャラクタメッセージを留守電サーバにユーザ毎に応答メッセージとして登録するメッセージ提供方法及びメッセージ提供システムとしているので、キャラクタの音声データと効果音を組み合わせたキャラクタメッセージを留守電応答メッセージに用いることで、留守電応答メッセージを個性的で娯楽性の高いものとすることができる効果がある。
【手続補正５】
【補正対象書類名】明細書
【補正対象項目名】００８０
【補正方法】変更
【補正の内容】
【００８０】
また、本発明は、ウェブサーバが、ユーザからのアクセスにより、音データベースからスポンサー提供のスポンサー広告を含むキャラクタの音声データと効果音の音データとを組み合わせたキャラクタメッセージに関する情報が作成されてユーザ毎に設定され、設定されたキャラクタメッセージを留守電サーバにユーザ毎に応答メッセージとして登録するメッセージ提供方法及びメッセージ提供システムとしているので、スポンサー提供のキャラクタの音声データと効果音を組み合わせたキャラクタメッセージを留守電応答メッセージに用いることで、ユーザに費用負担を強いることなく、留守電応答メッセージを個性的で娯楽性の高いものとすることができる効果がある。